(57)【要約】【課題】本発明は、小型で急峻な阻止特性を有し、阻止周波数と阻止周波数の発生個数とを任意に設定できる帯域阻止フィルタを提供する。【解決手段】帯域阻止フィルタは、誘電体下面にグランド層が形成された高周波回路基板３と、高周波回路基板３の誘電体上面に形成され、高周波信号を伝送する主マイクロストリップ伝送線路５と、高周波回路基板３の誘電体上面に、主マイクロストリップ伝送線路５に電気長で通過中心周波数の略１／４波長となるマイクロストリップ伝送線路を平行配置して結合線路を形成し、前記マイクロストリップ伝送線路の両端に略同一の線路幅及び線路長を有するマイクロストリップ伝送線路からなる開放スタブ６ｂが電気的に接続された共振器７とを備え、共振器７の阻止周波数を任意に設定するための開放スタブ７ｂの線路幅、または、共振器７の阻止周波数の発生個数を任意に設定するための開放スタブ６ｂの線路長の少なくとも一方を変化させる。【選択図】図１
2008199076.tif 000002
【特許請求の範囲】
【請求項１】
誘電体下面にグランド層が形成された高周波回路基板と、
前記高周波回路基板の誘電体上面に形成され、高周波信号を伝送する主マイクロストリップ伝送線路と、
前記高周波回路基板の誘電体上面に、前記主マイクロストリップ伝送線路に電気長で通過中心周波数の略１／４波長となるマイクロストリップ伝送線路を平行配置して結合線路を形成し、前記マイクロストリップ伝送線路の両端に略同一の線路幅及び線路長を有するマイクロストリップ伝送線路からなる開放スタブが電気的に接続された共振器とを備え、
前記共振器の阻止周波数を任意に設定するための前記開放スタブの線路幅、または、前記共振器の阻止周波数の発生個数を任意に設定するための前記開放スタブの線路長の少なくとも一方を変化させることを特徴とする帯域阻止フィルタ。
【請求項２】
誘電体下面にグランド層が形成された高周波回路基板と、
前記高周波回路基板の誘電体上面に形成され、高周波信号を伝送する主マイクロストリップ伝送線路と、
前記高周波回路基板の誘電体上面に、前記主マイクロストリップ伝送線路に電気長で通過中心周波数の略１／４波長となるマイクロストリップ伝送線路を平行配置して結合線路を形成し、前記マイクロストリップ伝送線路の両端に略同一の線路幅及び線路長を有するマイクロストリップ伝送線路からなる開放スタブが電気的に接続された共振器とを備え、
前記共振器の阻止周波数を任意に設定するための前記開放スタブの線路幅を変化させることを特徴とする帯域阻止フィルタ。
【請求項３】
前記開放スタブは、前記通過中心周波数の略１／８波長のｎ倍（ｎは正の整数）の線路長を有する
ことを特徴とする請求項１に記載の帯域阻止フィルタ。
【請求項４】
前記開放スタブの線路長が前記通過中心周波数の略１／８波長である場合、所望の阻止周波数が次式（３）により設定される
ことを特徴とする請求項１又は２に記載の帯域阻止フィルタ。
【数１】
2008199076.tif 000015
・・・式（３）
前記開放スタブの規格化特性インピーダンスは、
【数２】
2008199076.tif 000016
結合路線の規格化偶モードインピーダンスは、
【数３】
2008199076.tif 000017
結合路線の規格化奇モードインピーダンスは、
【数４】
2008199076.tif 000018
設計中心周波数はｆ０、本発明で設定する阻止周波数はｆｐである。
【請求項５】
前記開放スタブの線路長が前記通過中心周波数の略１／４波長である場合、所望の阻止周波数が次式（４）により設定される
ことを特徴とする請求項２に記載の帯域阻止フィルタ。
【数５】
2008199076.tif 000019
・・・式（４）                                                
前記開放スタブの規格化特性インピーダンスは、
【数６】
2008199076.tif 000020
結合線路の規格化偶モードインピーダンスは、
【数７】
2008199076.tif 000021
結合線路の規格化奇モードインピーダンスは、
【数８】
2008199076.tif 000022
設計中心周波数はｆ０、本発明で設定する阻止周波数はf pである。
【請求項６】
前記共振器の中心周波数は、５ＧＨｚであることを特徴とする請求項３又は４に記載の高周波帯域通過フィルタ。
【請求項７】
前記高周波回路基板は、ＰＴＦＥ基板、ガラスエポキシ基板またはアルミナ基板であることを特徴とする請求項１ないし５のいずれかに記載の帯域阻止フィルタ。
【発明の詳細な説明】
【技術分野】
【０００１】
本発明は、高周波信号の周波数成分の中で特定の周波数帯域の高周波信号を減衰させ、それ以外の高周波信号を通過させる帯域阻止フィルタに係り、特に、マイクロストリップ結合線路を用いた帯域阻止フィルタに関する。
【背景技術】
【０００２】
従来、マイクロストリップ線路を用いた帯域阻止フィルタとして、例えば、図１３に示すように、主伝送線路（マイクロストリップ伝送線路）２０が入力端子と出力端子に接続されているとき、主伝送線路２０に複数のλ／２マイクロストリップ線路共振器２１１，２１２，２１３，…，２１ｎがλ／４おきに順次電磁結合された帯域阻止フィルタが知られている。ここで、λは波長である。この帯域阻止フィルタは、λ／２マイクロストリップ線路共振器２１１，２１２，２１３，…，２１ｎのそれぞれの阻止特性がなだらかで、阻止量が小さいため、多数のλ／２マイクロストリップ線路共振器により急峻な阻止特性を得るようにしている。
【０００３】
また、マイクロストリップ線路を用いた帯域阻止フィルタとして、主伝送線路に方形ループ共振器を分布結合させた帯域阻止フィルタの試作実験が報告されている（例えば、非特許文献１参照）。前記報告では、帯域阻止フィルタの減衰特性を電磁界シミュレーションで解析して試作実験を行っている。
【非特許文献１】電子情報通信学会エレクトロニクスソサエティ大会Ｃ−２−１００（２００３）１２４頁
【発明の開示】
【発明が解決しようとする課題】
【０００４】
しかしながら、従来の帯域阻止フィルタでは、多数のλ／２マイクロストリップ線路共振器２１１，２１２，２１３，…，２１ｎを必要とし、互いにλ／４以上離間しなければならないので、急峻な阻止特性と大きな阻止量を満足する帯域阻止フィルタは小型に実現するのが困難である。また、阻止周波数と阻止周波数の個数の両方を同時に制御できない問題がある。
【０００５】
本発明は、上記従来技術の有する問題点に鑑みて創出されたものであり、小型で急峻な阻止特性を有し、共振器の阻止周波数と阻止周波数の発生個数とを任意に設定できる帯域阻止フィルタを提供することを目的とするものである。
【課題を解決するための手段】
【０００６】
本発明は、上記の課題を解決するために、次のような帯域阻止フィルタの構成を提供する。
すなわち、請求項１及び２に記載の発明は、誘電体下面にグランド層が形成された高周波回路基板と、前記高周波回路基板の誘電体上面に形成され、高周波信号を伝送する主マイクロストリップ伝送線路と、前記高周波回路基板の誘電体上面に、前記主マイクロストリップ伝送線路に電気長で通過中心周波数の略１／４波長となるマイクロストリップ伝送線路を平行配置して結合線路を形成し、前記マイクロストリップ伝送線路の両端に略同一の線路幅及び線路長を有するマイクロストリップ伝送線路からなる開放スタブが電気的に接続された共振器とを備え、前記共振器の阻止周波数を任意に設定するための前記開放スタブの線路幅、または、前記共振器の阻止周波数の発生個数を任意に設定するための前記開放スタブの線路長の少なくとも一方を変化させることを特徴とする。
【０００７】
上記構成により、帯域阻止フィルタは、開放スタブの線路幅を変えて共振器の阻止周波数を任意に設定できる。また、開放スタブの線路長を変化させることにより、共振器の阻止周波数の発生個数を任意に設定できる。さらに、開放スタブの線路幅および線路長を変化させることにより、共振器の阻止周波数および阻止周波数の発生個数を任意に設定できる。
【０００８】
請求項３に記載の発明によれば、前記開放スタブは、前記通過中心周波数の略１／８波長のｎ倍（ｎは正の整数）の線路長を有することを特徴とする。
【０００９】
請求項４に記載の発明によれば、前記開放スタブの線路長が前記通過中心周波数の略１／８波長である場合、所望の阻止周波数が次式（３）により設定されることを特徴とする。
【数９】
2008199076.tif 000003
…式（３）
前記開放スタブの規格化特性インピーダンスは、
【数１０】
2008199076.tif 000004
結合路線の規格化偶モードインピーダンスは、
【数１１】
2008199076.tif 000005
結合路線の規格化奇モードインピーダンスは、
【数１２】
2008199076.tif 000006
設計中心周波数はｆ０、本発明で設定する阻止周波数はｆｐである。
【００１０】
請求項５に記載の発明によれば、前記開放スタブの線路長が前記通過中心周波数の略１／８波長である場合、所望の阻止周波数が次式（４）により設定されることを特徴とする。
【数１３】
2008199076.tif 000007
・・・式（４）                                                
前記開放スタブの規格化特性インピーダンスは、
【数１４】
2008199076.tif 000008
結合線路の規格化偶モードインピーダンスは、
【数１５】
2008199076.tif 000009
結合線路の規格化奇モードインピーダンスは、
【数１６】
2008199076.tif 000010
設計中心周波数はｆ０、本発明で設定する阻止周波数はf pである。
【００１１】
請求項６に記載の発明によれば、共振器の中心周波数は、５ＧＨｚであることを特徴とする。
【００１２】
請求項７に記載の発明によれば、高周波回路基板は、ＰＴＦＥ（ポリテトラフルオルエチレン）基板、ガラスエポキシ基板またはアルミナ基板であることを特徴とする。
【発明の効果】
【００１３】
本発明の帯域阻止フィルタによれば、上記のような構成および作用により、小型で急峻な阻止特性を有し、阻止周波数と阻止周波数の発生個数とを任意に設定できる帯域阻止フィルタを実現できる。
【発明を実施するための最良の形態】
【００１４】
（帯域阻止フィルタの構造）
以下、本発明の帯域阻止フィルタの構造について、図面に基づいて説明する。なお、実施形態は下記に限定されるものではない。
【００１５】
図１において、本実施形態に係る帯域阻止フィルタ（以下、ノッチフィルタともいう。）は、箱型の金属ケース１を有しており、矩形の高周波回路基板３が複数のネジ４…で固定され、金属ケース１の側面の入出力端子取付孔には入出力端子２，２が取り付けられている。高周波回路基板３は、図３に示すように、誘電体３ａの下面にグランド層３ｂが形成されている。
【００１６】
図１及び２において、高周波回路基板３の誘電体３ａ上面に主マイクロストリップ伝送線路（以下、主伝送線路という。）５が入出力端子２，２に電気的に接続されている。主伝送線路５には、通過中心周波数、例えば５ＧＨｚで１／４λｇの線路長で、主伝送線路５と同じ線路幅のマイクロストリップ伝送線路（以下、伝送線路という。）６ａが所定間隔ｇで平行配置されており、この伝送線路６ａの両端に同一の線路幅および線路長のマイクロストリップ伝送線路からなる開放スタブ６ｂが電気的に接続されている。共振器７は、伝送線路６ａと開放スタブ６ｂとから構成されている。
【００１７】
なお、主伝送線路５と共振器７の伝送線路６ａとが電磁気的に結合してマイクロストリップ結合線路を構成しており、マイクロストリップ結合線路は線路間の距離で結合度が決まり、線路長で設計中心周波数が決まる。また、共振器７の伝送線路６ａに電気的に接続された開放スタブ６ｂの線路幅ｗ４を変えて特性インピーダンスを変化させることにより、阻止周波数を任意に設定でき、開放スタブ６ｂの線路長Ｌ１を変化させることにより、阻止周波数の発生個数を任意に設定できる。
【００１８】
したがって、本実施形態のノッチフィルタでは、共振器７の開放スタブ６ｂの線路幅ｗ４を変えて特性インピーダンスを変化させることにより、主伝送線路５と共振器７の伝送線路６ａの結合線路長Ｌを変えることなく、共振器７の阻止周波数を任意に設定できる。
また、本実施形態のノッチフィルタでは、共振器７の開放スタブ６ｂの線路長Ｌ１を変化させることにより、主伝送線路５と共振器７の伝送線路６ａの結合線路長Ｌを変えることなく、共振器７の阻止周波数の個数を任意に設定できる。
さらに、本実施形態のノッチフィルタでは、共振器７の開放スタブ６ｂの線路幅ｗ４および線路長Ｌを変化させることにより、主伝送線路５と共振器７の伝送線路６ａの結合線路長Ｌを変えることなく、共振器７の阻止周波数および阻止周波数の個数を任意に設定できる。
【００１９】
（帯域阻止周波数の発生個数が１つである実施形態）
次に、本実施形態１にかかるノッチフィルタの電磁界解析、回路解析および設計式について説明する。この帯域阻止フィルタに係る構造は、以下に、図3に基づいて説明する。
【００２０】
高周波回路基板３は、比誘電率εｒ＝２．２，誘電正接ｔａｎδ＝０．００９，誘電体厚ｂ＝０．３８１ｍｍ、導体は電解銅箔で厚みｔ＝１８μｍ（両面）である。
主伝送線路５の線路幅ｗ１＝１．１ｍｍ、共振器７の伝送線路６ａの線路幅ｗ２＝１．１ｍｍ、主伝送線路５と共振器７の伝送線路６ａの間隔ｇ＝０．１ｍｍ、共振器７の開放スタブ６ｂの線路長Ｌ１＝５．４ｍｍ、開放スタブ６ｂの線路幅ｗ１＝１．３５ｍｍである。
【００２１】
まず、本実施例のノッチフィルタの通過周波数における電界分布と阻止周波数における電界分布をシミュレーションによる電磁界解析した結果について説明する。
ここで、横軸に周波数（単位ＧＨｚ）、縦軸に周波数特性（単位ｄＢ）を示している。
図４において、通過特性Ｓ２１は、阻止周波数５ＧＨｚ近傍で高い減衰を示している。すなわち、阻止周波数５ＧＨｚでは、入力電力が出力端子に殆んど現れていない。通過周波数では、入力電力が出力端子に殆んど損失せずに現れている。
【００２２】
（帯域阻止フィルタに係る設計式の導出）
次に、当該帯域阻止フィルタ（ノッチフィルタとも言う）を回路解析して、阻止周波数の設定式を導いた。以下にこれを説明する。
ここで、共振器７の伝送線路６ａの特性インピーダンスをＺとする。主伝送線路５と共振器７の伝送線路６ａの結合は、偶モードインピーダンスＺｅと奇モードインピーダンスＺｏによって表わされる。また、回路解析を容易にするため、結合線路の偶モードと奇モードで差がないとして結合線路の電気長を２θとし、開放スタブ６ｂの電気長をφとする。
【００２３】
上述したように本発明の帯域阻止フィルタは、対称回路であるので、偶奇モードの回路解析により、ノッチフィルタのＳ２１は次式で表される。
【数１７】
2008199076.tif 000011
…式（１）
【００２４】
そして、ノッチフィルタの阻止周波数では、Ｓ２１＝０が成り立つので、下記の式（２）が得られる。
【００２５】
【数１８】
2008199076.tif 000012
…式（２）
【００２６】
次に、共振器７の開放スタブ６ｂの電気長φが結合線路の電気長２θの１／２である場合の設計式を求める。
θ＝φとして、
【数１９】
2008199076.tif 000013
…式（３）
上記設計式（３）より、主伝送線路５と共振器７の伝送線路６ａの結合線路の線路幅ｗ１，ｗ２及び線路間隔ｇを決めれば、Ｚｅ´＝Ｚｅ／Ｚ０、Ｚｏ´＝Ｚｏ／Ｚ０が決まり、阻止周波数ｆｐは開放スタブ６ｂの正規化インピーダンスＺ´＝Ｚ／Ｚ０のみで決まる。
【００２７】
（本実施形態に係る帯域阻止フィルタの製作と実測結果）
（実施例１）
次に、上記設計式（３）において電気長θと電気長φとを共に４５°（φ＝θ＝４５°）とした場合の試作ノッチフィルタについて説明する。
なお、中心周波数ｆｏ＝５ＧＨｚ、阻止周波数ｆｐ＝５ＧＨｚ、偶モードインピーダンスＺｅ＝６０Ω、奇モードインピーダンスＺｏ＝４０Ω（Ｚｐ´＝０．９６、Ｚｓ´＝２）で設計する。
【００２８】
図５に試作ノッチフィルタの周波数特性の実測結果を示す。
ここで、横軸に周波数（単位ＧＨｚ）、縦軸に伝達特性（単位ｄＢ）を示している。また、実測結果の減衰量において、誘電体損、導体損、放射損が含まれていない。
図５に示すように、試作ノッチフィルタの実測結果では、周波数５．０５５ＧＨｚのみに減衰が生じており、急峻な阻止特性となっている。
上述したように、本実施例のノッチフィルタは、共振器７の開放スタブ６ｂの線路長を電気長で中心周波数の１／８波長（すなわち、４５°）にした場合、所望の阻止周波数を一つ発生させることができる。この実測結果により、上記の図４で説明したシミュレーション結果とほぼ同じ特性を有することが示された。
【００２９】
（開放スタブの線路幅の変更）
（実施例２）
次に、上記実施例１を一部変更した実施例２について説明する。
本実施例では、上記実施例１で共振器７の開放スタブ６ｂの線路幅をｗ４＝１．３５ｍｍとしたが、これに代えて、図６に示すように、共振器７の開放スタブ６ｂの線路幅をｗ６＝２ｍｍとする。
【００３０】
まず、ノッチフィルタの周波数特性をシミュレーションにより電磁界解析した結果について説明する。
図７において、通過特性Ｓ２１は、阻止周波数４．７ＧＨｚで高い減衰を示している。すなわち、阻止周波数では、入力電力が出力端子に殆んど現れていない。通過周波数では、入力電力が出力端子に殆んど損失せずに現れている。
【００３１】
図８に試作したノッチフィルタの周波数特性の実測結果を示す。
試作ノッチフィルタは、図８に示すように、実測結果において周波数４．７５３ＧＨｚのみに減衰が生じており、急峻な阻止特性となっている。この実測結果により、上記の図７で説明したシミュレーション結果とほぼ同じ特性を有することが示された。
上述したように、共振器７の開放スタブ６ｂの線路幅を変えて特性インピーダンスを変化させることにより、阻止周波数位置を変えることができることを、シミュレーションによる電磁界解析、及び実測結果に基づいて示した。
【００３２】
（帯域阻止周波数の発生個数が２つである実施形態）
上述した実施形態は、共振器７の開放スタブ６ｂの線路長を電気長で中心周波数の１／８波長としたが、これに代えて、共振器７の開放スタブ６ｂの線路長を電気長で中心周波数の１／４波長とした場合の実施形態２について説明する。なお、上述の実施形態の説明で変更した部分についてのみ説明する。
【００３３】
まず、ノッチフィルタの周波数特性をシミュレーションによる電磁界解析した結果について説明する。
ここで、横軸に周波数（単位ＧＨｚ）、縦軸に周波数特性（単位ｄＢ）を示している。
図１０において、通過特性Ｓ２１は、阻止周波数が３．５２ＧＨｚと７．３０５ＧＨｚと２個発生し、これらの阻止周波数間で低損失、平坦な特性を示している。すなわち、阻止周波数では、入力電力が出力端子に殆んど現れていない。通過周波数では、入力電力が出力端子に殆んど損失せずに現れている。
【００３４】
次に、共振器７の開放スタブ６ｂの電気長φが結合線路の電気長２θと等しい場合の設計式を導き出した。
φ＝２θとして、
【数２０】
2008199076.tif 000014
…式（４）
【００３５】
（本実施形態に係る帯域阻止フィルタの製作と実測結果）
次に、上記設計式（４）において、電気長θ＝４５°、電気長φ＝２θ＝９０°とした場合の試作ノッチフィルタについて説明する。
まず、図９において共振器７の開放スタブ６ｂの線路長ｌ３＝１０ｍｍ、線路幅ｗ８＝１．３５ｍｍとして、試作したノッチフィルタの周波数特性の実測結果を説明する。
試作ノッチフィルタは、図１１に示すように、実測結果において周波数３．５２ＧＨｚおよび７．３０５ＧＨｚに減衰が生じており、急峻な阻止特性となっている。
上述したように、本実施例のノッチフィルタは、共振器７の開放スタブ６ｂの線路長を電気長で中心周波数の１／４波長（すなわち、９０°）にした場合、阻止周波数を二つ発生させることができる。
【００３６】
（開放スタブの線路幅の変更）
（実施例３）
次に、図１２に、開放スタブ６ｂの線路長がφ＝２θに設定されて、開放スタブ６ｂの特性インピーダンスＺをＺ＝３５Ω、Ｚ＝５０Ωにした場合のシミュレーション結果を示す。
ここで、中心周波数ｆｏ＝５ＧＨｚ、偶モードインピーダンスＺｅ＝６０Ω、奇モードインピーダンスＺｏ＝４０Ω（Ｚｐ´＝０．９６、Ｚｓ´＝２、Ｚｓ´Ｚｐ´＝１．９２）で設計する。
図１２（ａ）に示すように、特性インピーダンスＺ＝３５Ωの場合、中心周波数５ＧＨｚに対して減衰周波数３．００６ＧＨｚ及び６．９９４ＧＨｚが略対称な位置に現れている。
図１２（ｂ）に示すように、特性インピーダンスＺ＝５０Ωの場合、中心周波数５ＧＨｚに対して減衰周波数３．９９２ＧＨｚと６．００８ＧＨｚが略対称な位置に現れている。
【００３７】
（帯域阻止周波数の発生個数が３つである実施形態）
上述した実施形態２は、共振器７の開放スタブ６ｂの線路長を電気長で中心周波数の１／４波長としたが、これに代えて、共振器７の開放スタブの線路長を電気長で中心周波数の３／８波長とする実施形態３について説明する。
本実施形態において設計式を求めて、電気長θ＝４５°、電気長φ＝３θ＝１３５°とした場合の試作ノッチフィルタを作成した実測結果においても、３つの減衰周波数が生じた。
したがって、本実施例のノッチフィルタは、共振器７の開放スタブ６ｂの線路長を電気長で中心周波数の３／８波長（すなわち、１３５°）にした場合、阻止周波数を三つ発生させることができる。
【００３８】
以上、本発明の好適な実施形態について説明したが、上述した実施形態は本発明を限定するものではない。当業者にあっては、具体的な実施態様において本発明の技術思想および技術範囲から逸脱せずに種々の変形・変更を加えることが可能である。
【００３９】
本発明のノッチフィルタは、小型で急峻な阻止特性を有し、共振器の開放スタブの線路幅と線路長とを変化させることにより、結合線路の線路長を変えることなく、阻止周波数および阻止周波数の個数を任意に設定できるので、携帯電話、ラジオ、テレビ受像器、放送局及び基地局の無線設備等の高周波信号を用いる無線装置に広く利用でき、産業上の利用価値が高い。
【図面の簡単な説明】
【００４０】
【図１】本発明の一実施形態に係る帯域阻止フィルタの平面図である。
【図２】図１に示す帯域阻止フィルタの要部を拡大した図である。
【図３】図１に示す高周波回路基板と主マイクロストリップ伝送線路及び共振器のマイクロストリップ伝送線路との断面図である。
【図４】帯域阻止フィルタの電磁界解析のシミュレーション結果を示す図である。
【図５】試作した帯域阻止フィルタの実測結果を示す図である。
【図６】共振器の結合線路の電気長と開放スタブの電気長等の関係を示す図である。
【図７】帯域阻止フィルタの電磁界解析のシミュレーション結果を示す図である。
【図８】帯域阻止フィルタの実測結果を示す図である。
【図９】共振器の結合線路の電気長と開放スタブの電気長等の関係を示す図である。
【図１０】帯域阻止フィルタの電磁界解析のシミュレーション結果を示す図である。
【図１１】試作した帯域阻止フィルタの実測結果を示す図である。
【図１２】共振器の開放スタブの特性インピーダンスＺを変化させた場合のシミュレーション結果を示す図である。
【図１３】従来の帯域阻止フィルタを説明する図である。
【符号の説明】
【００４１】
３    高周波回路基板
３ａ  誘電体
３ｂ  グランド層
５    主マイクロストリップ伝送線路
６ａ  マイクロストリップ伝送線路（結合線路）
６ｂ  マイクロストリップ伝送線路（開放スタブ）
７    共振器
【図１】
2008199076.tif 000023
【図２】
2008199076.tif 000024
【図３】
2008199076.tif 000025
【図４】
2008199076.tif 000026
【図５】
2008199076.tif 000027
【図６】
2008199076.tif 000028
【図７】
2008199076.tif 000029
【図８】
2008199076.tif 000030
【図９】
2008199076.tif 000031
【図１０】
2008199076.tif 000032
【図１１】
2008199076.tif 000033
【図１２】
2008199076.tif 000034
【図１３】
2008199076.tif 000035